(57)【要約】      （修正有）【課題】使用者の皮膚に負担をかけず、不快感を与えないアイウエアを提供する。【解決手段】フレーム１２０と、一対のノーズパッド１４０と、一対のノーズパッドのそれぞれの表面に設けられ、眼電位を検出可能な第１の電極１５２及び第２の電極１５４と、フレームのブリッジ１２４の表面に設けられ、眼電位を検出可能な第３の電極と、第３の電極１５６を基準とした第１の電極の電位である右眼の眼電位Ｖ１および第３の電極を基準とした第２の電極の電位である左眼の眼電位Ｖ２を検出し、（ｉ）Ｖ１＋Ｖ２が負であり、Ｖ１−Ｖ２が略ゼロの場合に視線が上に向けられたと判断し、（ｉｉ）Ｖ１＋Ｖ２が正であり、Ｖ１−Ｖ２が略ゼロの場合に視線が下に向けられたと判断し、（ｉｉｉ）Ｖ１＋Ｖ２が略ゼロであり、Ｖ１−Ｖ２が負の場合に視線が右に向けられたと判断し、（ｉｖ）Ｖ１＋Ｖ２が略ゼロであり、Ｖ１−Ｖ２が正の場合に視線が左に向けられたと判断する。【選択図】図１
2015062706.tif 000002
【特許請求の範囲】
【請求項１】
アイウエアであって、
フレームと、
一対のノーズパッドと、
前記一対のノーズパッドのそれぞれの表面に設けられ、眼電位を検出可能な第１の電極及び第２の電極と、
前記フレームのブリッジの表面に設けられ、眼電位を検出可能な第３の電極と、
前記第３の電極を基準とした前記第１の電極の電位である右眼の眼電位Ｖ１および前記第３の電極を基準とした前記第２の電極の電位である左眼の眼電位Ｖ２を検出し、（ｉ）Ｖ１＋Ｖ２が負であり、Ｖ１−Ｖ２が略ゼロの場合に当該アイウエアが装着されたユーザの視線が上に向けられたと判断し、（ｉｉ）Ｖ１＋Ｖ２が正であり、Ｖ１−Ｖ２が略ゼロの場合に、ユーザの視線が下に向けられたと判断し、（ｉｉｉ）Ｖ１＋Ｖ２が略ゼロであり、Ｖ１−Ｖ２が負の場合に、ユーザの視線が右に向けられたと判断し、（ｉｖ）Ｖ１＋Ｖ２が略ゼロであり、Ｖ１−Ｖ２が正の場合に、ユーザの視線が左に向けられたと判断するユニットと
を備える、
アイウエア。
【請求項２】
前記第１の電極は、前記一対のノーズパッドの一方の中心よりも下側に設けられ、前記第２の電極は、前記一対のノーズパッドの他方の中心よりも下側に設けられている、請求項１に記載のアイウエア。
【請求項３】
前記第１の電極及び前記第２の電極のそれぞれに電気的に接続され、前記フレームに埋設された第１の電線及び第２の電線をさらに備え、
前記一対のノーズパッドは、前記一対のノーズパッドの下側に延伸する延伸部を有し、
前記第１の電極及び前記第２の電極は、前記延伸部に設けられる、請求項１記載のアイウエア。
【請求項４】
前記第３の電極は、前記ブリッジの中心よりも上側に設けられる、請求項１に記載のアイウエア。
【請求項５】
前記ブリッジは、上側に延伸する延伸部を備え、前記第３の電極は前記延伸部に設けられる、請求項４に記載のアイウエア。
【請求項６】
前記フレームは、リムを有し、
前記ブリッジは、前記リムの上端に配置される、請求項１から５のいずれか一項に記載のアイウエア。
【請求項７】
前記第１の電極、前記第２の電極及び前記第３の電極に電気的にそれぞれ接続され、前記フレームに埋設された第１の電線、第２の電線及び第３の電線と、
をさらに備え、
前記第１の電線は前記フレームの右側に埋設されており、
前記第２の電線は前記フレームの左側に埋設されており、
前記第３の電線は前記フレームの両側に埋設されている、請求項１又は２に記載のアイウエア。
【請求項８】
前記フレームは、右側モダン及び左側モダンを有し、
当該アイウエアは、
前記第１の電極、前記第２の電極及び前記第３の電極に電気的にそれぞれ接続され、前記フレームに埋設された第１の電線、第２の電線及び第３の電線と、
前記右側モダン又は前記左側モダンの表面に設けられた接地電極と
をさらに備え、
前記第１の電線は前記フレームの右側に埋設されており、
前記第２の電線は前記フレームの左側に埋設されており、
前記第３の電線は、前記フレームの、前記右側モダン及び前記左側モダンのうち前記接地電極が設けられていない側に埋設されている、請求項１又は２に記載のアイウエア。
【請求項９】
前記第１の電極、前記第２の電極及び前記第３の電極に電気的にそれぞれ接続され、前記フレームに埋設された第１の電線、第２の電線及び第３の電線と、
をさらに備え、
前記第１の電線は前記フレームの右側に埋設されており、
前記第２の電線は前記フレームの左側に埋設されており、
前記フレームは、導電性物質からなる右側丁番及び左側丁番を有し、
前記右側丁番は、第１の丁番と、前記第１の丁番の下側に配置され、前記第１の丁番と離間した第２の丁番とを含み、
前記左側丁番は、第３の丁番と、前記第３の丁番の下側に配置され、前記第３の丁番と離間した第４の丁番とを含み、
前記第１の丁番及び前記第３の丁番の少なくとも一方は、前記第３の電線と接触しており、
前記第２の丁番は、前記第１の電線と接触しており、
前記第４の丁番は、前記第２の電線と接触している、請求項１又は２に記載のアイウエア。
【請求項１０】
前記延伸部と前記ブリッジとの間に配置された前記延伸部を上下に可動させる可動部
をさらに備える、請求項５に記載のアイウエア。
【請求項１１】
フレームと、
一対のノーズパッドと、
前記一対のノーズパッドのそれぞれの表面に設けられ、眼電位を検出可能な第１の電極及び第２の電極と、
前記フレームのブリッジの表面に設けられ、眼電位を検出可能な第３の電極と、
前記第３の電極を基準とした前記第１の電極の電位である右眼の眼電位Ｖ１および前記第３の電極を基準とした前記第２の電極の電位である左眼の眼電位Ｖ２を検出し、前記右眼の眼電位Ｖ１と前記左眼の眼電位Ｖ２とを加減算する処理部と、
を有するアイウエア、および、
（ｉ）Ｖ１＋Ｖ２が負であり、Ｖ１−Ｖ２が略ゼロの場合に当該アイウエアが装着されたユーザの視線が上に向けられたと判断し、（ｉｉ）Ｖ１＋Ｖ２が正であり、Ｖ１−Ｖ２が略ゼロの場合に、ユーザの視線が下に向けられたと判断し、（ｉｉｉ）Ｖ１＋Ｖ２が略ゼロであり、Ｖ１−Ｖ２が負の場合に、ユーザの視線が右に向けられたと判断し、（ｉｖ）Ｖ１＋Ｖ２が略ゼロであり、Ｖ１−Ｖ２が正の場合に、ユーザの視線が左に向けられたと判断する装置
を備える、システム。
【請求項１２】
フレームと、
一対のノーズパッドと、
前記一対のノーズパッドのそれぞれの表面に設けられ、眼電位を検出可能な第１の電極及び第２の電極と、
前記フレームのブリッジの表面に設けられ、眼電位を検出可能な第３の電極と、
を有するアイウエア、および、
前記第３の電極を基準とした前記第１の電極の電位である右眼の眼電位Ｖ１および前記第３の電極を基準とした前記第２の電極の電位である左眼の眼電位Ｖ２を検出し、（ｉ）Ｖ１＋Ｖ２が負であり、Ｖ１−Ｖ２が略ゼロの場合に当該アイウエアが装着されたユーザの視線が上に向けられたと判断し、（ｉｉ）Ｖ１＋Ｖ２が正であり、Ｖ１−Ｖ２が略ゼロの場合に、ユーザの視線が下に向けられたと判断し、（ｉｉｉ）Ｖ１＋Ｖ２が略ゼロであり、Ｖ１−Ｖ２が負の場合に、ユーザの視線が右に向けられたと判断し、（ｉｖ）Ｖ１＋Ｖ２が略ゼロであり、Ｖ１−Ｖ２が正の場合に、ユーザの視線が左に向けられたと判断する装置と
を備える、システム。
【発明の詳細な説明】
【技術分野】
【０００１】
本発明は、アイウエアに関する。
【背景技術】
【０００２】
使用者の眼の周囲に配置された二対の電極で眼電位を検出するアイウエア型の眼電図計測装置が知られている（例えば、特許文献１参照）。
特許文献１  特開２００４−２５４８７６号公報
【発明の概要】
【発明が解決しようとする課題】
【０００３】
しかし、二対の電極が使用者の皮膚に負担をかけ、使用者に不快感を与えていた。また、電極がアイウエアのデザイン性を損ねていた。
【課題を解決するための手段】
【０００４】
上記課題を解決するために、本発明の第１の態様においては、フレームと、一対のノーズパッドと、一対のノーズパッドのそれぞれの表面に設けられ、眼電位を検出する第１の電極及び第２の電極と、を備えるアイウエアが提供される。
【０００５】
上記アイウエアにおいて、第１の電極及び第２の電極のそれぞれに電気的に接続され、フレームに埋設された第１の電線及び第２の電線をさらに備えてもよい。上記のアイウエアにおいて、フレームのブリッジの表面に設けられ、眼電位を検出する第３の電極をさらに備えてもよい。上記のアイウエアにおいて、第３の電極に電気的に接続され、フレームに埋設された第３の電線をさらに備えてもよい。
【０００６】
上記アイウエアにおいて、第１の電極及び第２の電極が検出した眼電位を示す眼電図信号を外部装置に送信する送信部と、送信部に電力を供給する電力供給部とをさらに備えてもよい。上記アイウエアにおいて、眼電図信号を処理する処理部をさらに備え、送信部は、処理部によって処理された眼電図信号を外部装置に送信してよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】メガネ１００の一例を概略的に示す。
【図２】使用者に対する電極の接触位置を概略的に示す。
【図３】視線を上に向けた後下に向けた場合の眼電図の一例を概略的に示す。
【図４】視線を下に向けた後上に向けた場合の眼電図の一例を概略的に示す。
【図５】視線を右に向けた後左に向けた場合の眼電図の一例を概略的に示す。
【図６】視線を左に向けた後右に向けた場合の眼電図の一例を概略的に示す。
【図７】瞬きをした場合の眼電図の一例を概略的に示す。
【図８】メガネ１００を背面側から見た一例を概略的に示す。
【図９】メガネ１００を背面側から見た部分拡大図の一例を概略的に示す。
【図１０】外部装置により実行される視線検出処理のフローチャートを示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる。
【００１０】
図１は、メガネ１００の一例を概略的に示す。メガネ１００は、レンズ１１０及びフレーム１２０を備える。メガネ１００及びフレーム１２０は、アイウエアの一例であってよい。
【００１１】
フレーム１２０は、一対のレンズ１１０を支持する。フレーム１２０は、リム１２２、ブリッジ１２４、ヨロイ１２６、丁番１２８、テンプル１３０、モダン１３２、一対のノーズパッド１４０、第１の電極１５２、第２の電極１５４、第３の電極１５６、接地電極１５８、及び電線１６０を有してよい。一対のノーズパッド１４０は、右ノーズパッド１４２及び左ノーズパッド１４４を含む。
【００１２】
リム１２２、ヨロイ１２６、丁番１２８、テンプル１３０、及びモダン１３２は、それぞれ左右一対に設けられる。リム１２２は、レンズ１１０を保持する。ヨロイ１２６は、リム１２２の外側に設けられ、丁番１２８によりテンプル１３０を回転可能に保持する。テンプル１３０は、使用者の耳の上部を押圧して、当該部位を挟持する。モダン１３２は、テンプル１３０の先端に設けられる。モダン１３２は、使用者の耳の上部に接触する。
【００１３】
第１の電極１５２及び第２の電極１５４は、一対のノーズパッド１４０のそれぞれの表面に設けられ、眼電位を検出する。第１の電極１５２は使用者の右眼の眼電位を検出する。第２の電極１５４は使用者の左眼の眼電位を検出する。このように、眼電位を検出するための電極を、使用者の皮膚に必然的に接触するノーズパッドの表面に設けることによって、使用者の眼の周囲に二対の電極を接触させるのに比べて、使用者の皮膚に与える負担を軽減できる。
【００１４】
第３の電極１５６は、ブリッジ１２４の表面に設けられ、眼電位を検出する。接地電極１５８は、モダン１３２の表面に設けられる。本実施形態では、左側のモダン１３２の表面に設けられる。第１の電極１５２、第２の電極１５４及び第３の電極１５６が検出する電位は、接地電極１５８が検出する電位を基準としてよい。
【００１５】
メガネ１００は、電線１６０を介して、眼電図処理ユニット２００に接続される。眼電図処理ユニット２００は、処理部２１０、送信部２２０、及び電源供給部２３０を有してよい。第１の電極１５２、第２の電極１５４、第３の電極１５６及び接地電極１５８が、電線１６０を介して処理部２１０に接続される。
【００１６】
処理部２１０は、第１の電極１５２及び第２の電極１５４が検出した眼電位を示す眼電図信号を処理する。例えば、処理部２１０は、第３の電極１５６を基準とした第１の電極１５２の電位を示す眼電図信号を処理してよい。また、処理部２１０は、第３の電極１５６を基準とした第２の電極１５４の電位を示す眼電図信号を処理してよい。ここで、処理部２１０が眼電図信号を処理するとは、第１の電極１５２により検出された電位及び第２の電極１５４により検出された電位に対して加減処理することを含んでよい。また、眼電図信号に対して信号増幅処理をすること及びデジタル化処理をすることの少なくともいずれかを含んでよい。また、第１の電極１５２及び第２の電極１５４が検出した眼電位を示す眼電図信号をそのまま送信部２２０に送信することを含んでよい。
【００１７】
送信部２２０は、処理部２１０によって処理された眼電図信号を外部装置３００に送信する。送信部２２０は、Ｂｌｕｅｔｏｏｔｈ（登録商標）及び無線ＬＡＮ等の無線通信、又は有線通信によって眼電図信号を外部装置３００に送信してよい。電源供給部２３０は、処理部２１０及び送信部２２０に電力を供給する。
【００１８】
外部装置３００は、通信機能を有するコンピュータ端末であってよい。例えば、外部装置３００は、使用者が所持する携帯電話及びスマートフォン等の携帯通信端末である。外部装置３００は、送信部２２０から受信した眼電図信号に基づく処理を実行してよい。例えば、外部装置３００は、受信した眼電図信号から、使用者の瞬きの回数が増加していることを検出した場合に、居眠りを防止するための警告を発する。
【００１９】
図２は、使用者に対する電極の接触位置を概略的に示す。第１の接触位置４５２は、第１の電極１５２の接触位置を表す。第２の接触位置４５４は、第２の電極１５４の接触位置を表す。第３の接触位置４５６は、第３の電極１５６の接触位置を表す。水平中心線４６０は、右眼４０２の中心と左眼４０４の中心とを結んだ水平方向の中心線を表している。垂直中心線４６２は、右眼４０２と左眼４０４との中心において水平中心線４６０と直交する中心線を表している。
【００２０】
第１の接触位置４５２及び第２の接触位置４５４は、水平中心線４６０よりも下側に位置することが望ましい。また、第１の接触位置４５２及び第２の接触位置４５４は、第１の接触位置４５２と第２の接触位置４５４との中心を結ぶ線分が、水平中心線４６０と平行になるべく配置されることが望ましい。また、第１の接触位置４５２及び第２の接触位置４５４は、第１の接触位置４５２から右眼４０２への距離と、第２の接触位置４５４と左眼４０４との距離が等しくなるべく配置されることが望ましい。また、第１の接触位置４５２及び第２の接触位置４５４は、互いに一定の距離以上離間していることが望ましい。
【００２１】
第３の接触位置４５６は、垂直中心線４６２上に位置することが望ましい。また、第３の接触位置４５６は、水平中心線４６０よりも上側であって、第１の接触位置４５２及び第２の接触位置４５４から離れた位置であることが望ましい。また、例えば、第３の接触位置４５６と右眼４０２との距離を、右眼４０２と第１の接触位置４５２との距離よりも離間させ、左眼４０４との距離を、左眼４０４と第２の接触位置４５４との距離よりも離間させてよい。
【００２２】
眼球は、角膜側が正に帯電しており、網膜側が負に帯電している。したがって、視線が上に移動した場合、第３の電極１５６を基準とした第１の電極１５２の電位及び第３の電極１５６を基準とした第２の電極１５４の電位が負となる。視線が下に移動した場合、第３の電極１５６を基準とした第１の電極１５２の電位及び第３の電極１５６を基準とした第２の電極１５４の電位が正となる。視線が右に移動した場合、第３の電極１５６を基準とした第１の電極１５２の電位が負となり、第３の電極１５６を基準とした第２の電極１５４の電位が正となる。視線が左に移動した場合、第３の電極１５６を基準とした第１の電極１５２の電位が正となり、第３の電極１５６を基準とした第２の電極１５４の電位が負となる。
【００２３】
第３の電極１５６を基準とした第１の電極１５２の電位及び第３の電極１５６を基準とした第２の電極１５４の電位を検出することによって、好適にノイズの影響を軽減することができる。第３の接触位置４５６を第１の接触位置４５２及び第２の接触位置４５４から可能な限り離間させるべく、ブリッジ１２４をリム１２２の上端又はその近傍に配置してよい。また、ブリッジ１２４の中心よりも上側に第３の電極１５６を設けてもよい。この場合、縦幅の広いブリッジ１２４を採用することが望ましい。
【００２４】
なお、第３の電極１５６を基準とした第１の電極１５２の電位を検出する代わりに、基準電極を基準とした第１の電極１５２の電位から、基準電極を基準とした第３の電極１５６の電位を減じてもよい。そして同様に、第３の電極１５６を基準とした第２の電極１５４の電位を検出する代わりに、基準電極を基準とした第２の電極１５４の電位から、基準電極を基準とした第３の電極１５６の電位を減じてもよい。
【００２５】
基準電極としては、接地電極１５８を用いてよい。また、メガネ１００の、第１の電極１５２、第２の電極１５４及び第３の電極１５６から離間した位置に、別途基準電極を設けてもよい。例えば、基準電極を右側のモダン１３２に設けてよい。また、基準電極を右側のテンプル１３０の使用者の肌に接する部位に設けてよい。なお、基準電極を基準とした第１の電極１５２の電位から第３の電極１５６の電位を減じる処理、及び基準電極を基準とした第２の電極１５４の電位から第３の電極１５６の電位を減じる処理は、処理部２１０が実行してもよく、外部装置３００が実行してもよい。
【００２６】
図３は、視線を上に向けた後下に向けた場合の眼電図の一例を示す。上側の眼電図が、第３の電極１５６を基準とした第１の電極１５２の電位Ｖ１の経時変化を示す右眼電図を表す。下側の眼電図が、第３の電極１５６を基準とした第２の電極１５４の電位Ｖ２の経時変化を示す左眼電図を表す。縦軸が電圧値を表す。横軸が時間を表す。矢印５０３は、使用者が視線を上に向けたタイミングを表す。矢印５０３が表すタイミングでは、右眼電図及び左眼電図ともに、負の電位を示している。
【００２７】
図４は、視線を下に向けた後上に向けた場合の眼電図の一例を示す。矢印５０４は、使用者が視線を下に向けたタイミングを表す。矢印５０４が表すタイミングでは、右眼電図及び左眼電図ともに、正の電位を示している。
【００２８】
図５は、視線を右に向けた後左に向けた場合の眼電図の一例を示す。矢印５０５は、使用者が視線を右に向けたタイミングを表す。矢印５０５が表すタイミングでは、右眼電図が負の電位を示しており、左眼電図が正の電位を示している。
【００２９】
図６は、視線を左に向けた後右に向けた場合の眼電図の一例を示す。矢印５０６は、使用者が視線を左に向けたタイミングを表す。矢印５０６が表すタイミングでは、右眼電図が正の電位を示しており、左眼電図が負の電位を示している。
【００３０】
このように、右眼電図及び左眼電図で負の電位が示された場合には視線が上を向いたことを検出できる。また、右眼電図及び左眼電図で正の電位が示された場合には視線が下、右眼電図で負の電位が示され左眼電図で正の電位が示された場合には視線が右、右眼電図で正の電位が示され左眼電図で負の電位が示された場合には視線が左に向いたことを検出できる。
【００３１】
またさらに、右眼電図が示す電位Ｖ１と左眼電図が示す電位Ｖ２とを加減算することによって、視線の検出精度を高めることができる。例えば、Ｖ１＋Ｖ２が負であり、Ｖ１−Ｖ２が略ゼロの場合は、視線が上に向けられたと検出できる。Ｖ１＋Ｖ２が正であり、Ｖ１−Ｖ２が略ゼロの場合は、視線が下に向けられたと判断できる。Ｖ１＋Ｖ２が略ゼロであり、Ｖ１−Ｖ２が負の場合は、視線が右に向けられたと判断できる。Ｖ１＋Ｖ２が略ゼロであり、Ｖ１−Ｖ２が正の場合は、視線が左に向けられたと判断できる。Ｖ１とＶ２とを加減算することにより、算出される正の値及び負の値が大きくなる。したがって、その分閾値を大きく設定することができるので、ノイズを誤って視線移動として検出してしまう誤検出を低減できる。
【００３２】
図７は、使用者が瞬きをした場合の眼電図の一例を概略的に示す。矢印５０７は、使用者が瞬きをしたタイミングを表す。処理部２１０及び外部装置３００は、ある一定の期間内に右眼電図及び左眼電図で同程度の振幅のパルスが連続して検出された場合に、使用者が瞬きをしたと検出してよい。たとえば、図７に示す例では、５秒間に−１００μＶ程度のパルスが４回連続した場合に、使用者が瞬きをしたと検出できる。
【００３３】
図８は、メガネ１００を背面側から見た一例を概略的に示す。電線１６０は、第１の電線１６２、第２の電線１６４、第３の電線１６６及び第４の電線１６８を有してよい。第１の電線１６２は、第１の電極１５２に電気的に接続され、フレーム１２０に埋設されてよい。第２の電線１６４は、第２の電極１５４に電気的に接続され、フレーム１２０に埋設されてよい。第３の電線１６６は、第３の電極１５６に電気的に接続されフレーム１２０に埋設されてよい。第４の電線１６８は、接地電極１５８に電気的に接続されてよい。
【００３４】
第１の電線１６２、第２の電線１６４、第３の電線１６６及び第４の電線１６８は絶縁電線であってよい。絶縁電線の形状は丸型でも平型でもよく、フィルム配線としてもよい。また、フレーム１２０の材質を絶縁性物質として、第１の電線１６２、第２の電線１６４及び第３の電線１６６を、被覆なしの導線としてもよい。
【００３５】
第１の電線１６２は、第１の電極１５２から、右側のリム１２２の下部、ヨロイ１２６、丁番１２８、テンプル１３０、及びモダン１３２を経由して、外部に露出する。第２の電線１６４は、第２の電極１５４から、左側のリム１２２の下部、ヨロイ１２６、丁番１２８、テンプル１３０、及びモダン１３２を経由して、外部に露出する。第３の電線１６６は、第３の電極１５６から、両側のリム１２２の上側、ヨロイ１２６、丁番１２８、テンプル１３０、及びモダン１３２を経由して外部に露出する。このように、電線をフレームに埋設して露出させないことによって、電線の外傷を防止できる。また、電線を露出させるのに比べて、メガネ１００のデザイン性を向上できる。
【００３６】
また、第３の電線１６６を、フレーム１２０の左右両側に埋設することによって、メガネ１００の左右の重量バランスを均衡させることができる。また、フレーム１２０の左右両側が同じ構造となることから、左右のいずれか一方に埋設する場合に比べて、フレーム１２０の製造工程を簡易化できる。
【００３７】
なお、第３の電線１６６を、フレーム１２０の左右いずれか一方に埋設するよう構成してもよい。この場合、電線の使用量を削減でき、メガネ１００のコストを低減できる。第３の電線１６６をフレーム１２０の左右いずれか一方に埋設する場合、接地電極１５８が設けられた側とは反対側に埋設することが望ましい。これにより、右側のモダン１３２から延在する電線の本数と、左側のモダン１３２から延在する電線の本数とを整合させることができる。
【００３８】
図８に示される通り、第１の電極１５２及び第２の電極１５４はノーズパッド１４０の中心よりも下側に設けられてよい。これにより、第１の電極１５２及び第２の電極１５４が、使用者の眼の真横に位置してしまうことを防止できる。第１の電極１５２及び第２の電極１５４が使用者の眼の真横に位置した場合、視線を上に向けたときと下に向けたときとで類似する電位が検出され、視線検出精度が低下する場合がある。しかし、第１の電極１５２及び第２の電極１５４をノーズパッド１４０の下側に設けることによって、視線を上に向けたときと下に向けたときとの電位をより明確に異ならせることができ、視線検出精度の低下を防止できる。
【００３９】
図９は、メガネ１００を背面側から見た部分拡大図の一例を概略的に示す。丁番１２８は、第１の丁番９０２及び第２の丁番９０４を有してよい。第１の丁番９０２及び第２の丁番９０４の材質は導電性物質であってよい。第１の丁番９０２は、第３の電線１６６のリム１２２に埋設された部分及びテンプル１３０に埋設された部分に接触する。これにより、第３の電線１６６のリム１２２に埋設された部分とテンプル１３０に埋設された部分とが電気的に導通する。
【００４０】
また、第２の丁番９０４は、第１の電線１６２のリム１２２に埋設された部分及びテンプル１３０に埋設された部分に接触する。これにより、第１の電線１６２のリム１２２に埋設された部分とテンプル１３０に埋設された部分とが電気的に導通する。左側の丁番１２８も同様の構造を有してよい。このように、離間した２つの丁番を有することにより、第１の電線１６２と第３の電線１６６とを電気的に隔離でき、第２の電線１６４と第３の電線１６６とを電気的に隔離できる。
【００４１】
図１０は、外部装置３００により実行される視線検出処理のフローチャートを示す。本フローチャートは、使用者がメガネ１００を装着して、第１の電極１５２、第２の電極１５４、第３の電極１５６及び接地電極１５８が使用者の皮膚に接触した状態であって、外部装置３００が視線検出処理を実行するモードである動作モードに設定された場合に開始する。
【００４２】
ステップＳ１００２では、外部装置３００が、送信部２２０から眼電図信号を受信する。ここでは、各電極により検出された電位をそのまま受信する場合を例に挙げて説明する。
【００４３】
ステップＳ１００４では、外部装置３００が、受信した眼電図信号に異常があるか否かを判定する。外部装置３００は、例えば、第１の電極１５２、第２の電極１５４及び第３の電極１５６が検出する電位の少なくともいずれかが、一定期間以上ゼロである場合に異常があると判定する。また、例えば、第１の電極１５２、第２の電極１５４及び第３の電極１５６が検出する電位の少なくともいずれかが、予め定められた閾値を超える値である場合に、異常があると判定する。ステップＳ１００４で異常がないと判定された場合、ステップＳ１００６に進む。
【００４４】
ステップＳ１００６では、外部装置３００が、第３の電極１５６を基準として第１の電極１５２が検出した電位と、第３の電極１５６を基準として第２の電極１５４が検出した電位とが、予め登録された登録パターンと一致するか否かを判定する。登録パターンとしては、例えば、図３から図７に示すようなパターンを登録してよい。ステップＳ１００６で、いずれかの登録パターンと一致すると判定した場合、ステップＳ１００８に進み、一致しないと判定した場合、ステップＳ１００２に戻る。
【００４５】
ステップＳ１００８では、外部装置３００が、使用者の視線を判定する。外部装置３００は、例えば、ステップＳ１００６で一致した登録パターンが、図３に示すパターンと一致した場合に、視線が上を向いていると判定する。外部装置３００は、判定した視線に応じた処理を実行してよい。ステップＳ１０１０で視線を判定した後、ステップＳ１００２に戻る。
【００４６】
ステップＳ１００４で異常があると判定された場合、ステップＳ１０１０に進む。ステップＳ１０１０では、外部装置３００が、異常が全電極の離間であるか否かを判定する。すなわち、第１の電極１５２、第２の電極１５４及び第３の電極１５６の全てが使用者の皮膚から離間しているかを判定する。外部装置３００は、第１の電極１５２、第２の電極１５４及び第３の電極１５６が検出する電位の全てが、一定期間以上ゼロである場合に、全電極が離間していると判定してよい。
【００４７】
ステップＳ１０１０で、全電極が離間していないと判定された場合、ステップＳ１０１２に進む。ステップＳ１０１２では、外部装置３００が、使用者に対して警告を発する。例えば、第１の電極１５２、第２の電極１５４及び第３の電極１５６のうちいずれかが離間している場合、外部装置３００は、離間している電極がある旨を通知するための警告を発する。これにより、使用者に、正常に電極が接触するべくメガネ１００の位置を調整することを促すことができる。
【００４８】
ステップＳ１０１０で、全電極が離間していると判定された場合、ステップＳ１０１４に進む。全電極が離間していることにより、使用者がメガネ１００を未装着であることと判断できるので、ステップＳ１０１４では、外部装置３００が、視線検出処理の実行を待機する待機モードに移行する。これにより、外部装置３００による視線検出処理が終了する。上述したように外部装置３００が視線検出処理を実行することによって、使用者の視線を検出できる。また、例えば、メガネ１００が使用者の顔面からずれて一部電極が離間してしまった場合に、使用者にそのことを気づかせてメガネ１００の位置調整を促すことができる。
【００４９】
なお、本実施形態において、アイウエアがメガネである場合について説明した。しかし、アイウエアはこれに限定されない。アイウエアは、眼に関連する装具であればよく、メガネ、サングラス、ゴーグル及びヘッドマウントディスプレイならびにこれらのフレームなどの顔面装着具又は頭部装着具であってよい。
【００５０】
本実施形態において、メガネ１００が第３の電極１５６及び第３の電線１６６を備える例を挙げて説明した。しかし、メガネ１００はこれに限定されない。メガネ１００が、第３の電極１５６及び第３の電線１６６を備えなくてもよい。この場合、基準電極を基準とした第１の電極１５２の電位が示す眼電図及び基準電極を基準とした第２の電極１５４の電位が示す眼電図が、外部装置３００に送信されてよい。ここで、接地電極１５８を第３の電極１５６の位置に設けて、基準電極としてよい。また、左モダンに設けられた接地電極１５８を基準電極として用いてもよいし、第１の電極１５２及び第２の電極１５４から離間した位置に、別途設けられた電極を基準電極として用いてもよい。
【００５１】
基準電極を基準とした第１の電極１５２の電位が示す眼電図及び第２の電極１５４の電位が示す眼電図は、図３から図６に示した眼電図と同様の特徴を示す。よって、外部装置３００は、基準電極を基準とした第１の電極１５２の電位が示す眼電図及び基準電極を基準とした第２の電極１５４の電位が示す眼電図によって、使用者の視線を判定できる。このように、第３の電極１５６及び第３の電線１６６を備えないことによって、電極及び電線の数を削減でき、メガネ１００の重量を低減できるとともに、メガネ１００のコストを低減できる。
【００５２】
本実施形態において、メガネ１００が、リム１２２と一体になっているノーズパッド１４０を備える例を挙げて説明した。しかし、メガネ１００はこれに限定されない。メガネ１００が、リム１２２に備え付けられたクリングスと、クリングスに取り付けられたノーズパッド１４０とを備えてもよい。この場合、ノーズパッド１４０の表面に設けられた電極は、クリングスを介して、フレームに埋設された電線と電気的に接続される。
【００５３】
本実施形態において、メガネ１００が、フレーム１２０に埋設された第１の電線１６２、第２の電線１６４及び第３の電線１６６を備える例を挙げて説明した。しかし、メガネ１００はこれに限定されない。メガネ１００が、フレーム１２０の表面に沿った第１の電線１６２、第２の電線１６４及び第３の電線１６６を備えてもよい。
【００５４】
本実施形態において、第１の電極１５２及び第２の電極１５４をノーズパッド１４０の中心よりも下側に設ける例を挙げて説明した。しかし、これに限定されない。ノーズパッド１４０が下側に延伸する延伸部を備え、第１の電極１５２及び第２の電極１５４を延伸部に設けてもよい。これにより、眼及び鼻の位置の個人差によってノーズパッドが眼の真横に位置してしまう使用者であっても、第１の電極１５２及び第２の電極１５４を眼の位置よりも下に接触させることができる。
【００５５】
本実施形態において、第３の電極１５６をブリッジ１２４の表面に設ける例を挙げて説明した。しかし、これに限定されない。ブリッジ１２４が、上側に延伸する延伸部を備え、延伸部に第３の電極１５６を設けてもよい。またさらに、延伸部とブリッジ１２４との間に延伸部を上下に可動させる可動部を備え、第３の電極１５６の位置を上下に調整可能としてもよい。これにより、眼の位置の個人差によって、第３の電極１５６の接触位置が眼の近傍になってしまう使用者であっても、調整により第３の電極１５６の接触位置を眼から離間させることができる。
【００５６】
本実施形態では、第１の電線１６２、第２の電線１６４及び第３の電線１６６がモダン１３２から外部に露出する例を挙げて説明した。しかし、これに限定されない。第１の電線１６２、第２の電線１６４及び第３の電線１６６は、他の部位から露出してもよい。例えば、第１の電線１６２、第２の電線１６４及び第３の電線１６６が、テンプル１３０又はヨロイ１２６から露出する。
【００５７】
本実施形態では、外部装置３００の例として、眼電図処理ユニット２００と別体の、携帯電話及びスマートフォン等の携帯通信端末を挙げて説明した。しかし、これに限定されない。外部装置３００を、眼電図処理ユニット２００と一体のユニットとしてもよい。また、本実施形態では、眼電図処理ユニット２００が、メガネ１００から離間して、電線１６０により接続される例を挙げて説明した。しかし、これに限定されない。眼電図処理ユニット２００を、フレーム１２０に備え付けてもよい。
【００５８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５９】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００６０】
１００  メガネ、１１０  レンズ、１２０  フレーム、１２２  リム、１２４  ブリッジ、１２６  ヨロイ、１２８  丁番、１３０  テンプル、１３２  モダン、１４０  ノーズパッド、１４２  右ノーズパッド、１４４  左ノーズパッド、１５２  第１の電極、１５４  第２の電極、１５６  第３の電極、１５８  接地電極、１６０  電線、１６２  第１の電線、１６４  第２の電線、１６６  第３の電線、１６８  第４の電線、２００  眼電図処理ユニット、２１０  処理部、２２０  送信部、２３０  電源供給部、３００  外部装置、４０２  右眼、４０４  左眼、４５２  第１の接触位置、４５４  第２の接触位置、４５６  第３の接触位置、４６０  水平中心線、４６２  垂直中心線、５０３、５０４、５０５、５０６、５０７  矢印、９０２  第１の丁番、９０４  第２の丁番
【図１】
2015062706.tif 000003
【図２】
2015062706.tif 000004
【図３】
2015062706.tif 000005
【図４】
2015062706.tif 000006
【図５】
2015062706.tif 000007
【図６】
2015062706.tif 000008
【図７】
2015062706.tif 000009
【図８】
2015062706.tif 000010
【図９】
2015062706.tif 000011
【図１０】
2015062706.tif 000012
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
フレームと、一対のノーズパッドと、前記一対のノーズパッドのそれぞれの表面に設けられ、眼電位を検出する第１の電極及び第２の電極とを有するアイウエアの前記第１の電極及び前記第２の電極が検出した眼電位を受信する受信ステップと、
視線検出処理を実行するモードである動作モードが設定されている場合に、前記眼電位に基づいて、前記アイウエアの使用者の視線を判定する視線判定ステップと、
前記動作モードが設定されている場合に、前記眼電位に基づいて、前記第１の電極及び前記第２の電極のそれぞれが前記アイウエアの使用者から離間したことを判定する離間判定ステップと、
前記第１の電極及び前記第２の電極のいずれもが前記使用者から離間したと判定された場合に、前記動作モードから、前記視線検出処理の実行を待機する待機モードに移行する移行ステップと、
前記第１の電極及び前記第２の電極のいずれかが前記使用者から離間したと判定された場合に、警告を発する警告ステップと
を備える眼電位処理方法。
【請求項２】
前記アイウエアは、前記フレームのブリッジの表面に設けられ、眼電位を検出する第３の電極をさらに有し、
前記受信ステップは、前記第１の電極、前記第２の電極及び前記第３の電極が検出した眼電位を受信し、
前記離間判定ステップは、前記第１の電極、前記第２の電極及び前記第３の電極のそれぞれが前記使用者から離間したことを判定し、
前記移行ステップは、前記第１の電極、前記第２の電極及び前記第３の電極のいずれもが前記使用者から離間したと判定された場合に、前記動作モードから、前記視線検出処理の実行を待機する待機モードに移行し、
前記警告ステップは、前記第１の電極、前記第２の電極及び前記第３の電極のいずれかが前記使用者から離間したと判定された場合に、警告を発する、請求項１に記載の眼電位処理方法。
【請求項３】
前記警告ステップは、離間している電極がある旨を通知するための警告を発する、請求項１又は２に記載の眼電位処理方法。
【請求項４】
視線検出処理を実行するモードである動作モードが設定されている場合に、フレームと、一対のノーズパッドと、前記一対のノーズパッドのそれぞれの表面に設けられ、眼電位を検出する第１の電極及び第２の電極とを有するアイウエアの前記第１の電極及び前記第２の電極が検出した眼電位に基づいて、前記アイウエアの使用者の視線を判定し、前記眼電位に基づいて前記第１の電極及び前記第２の電極のいずれもが前記使用者から離間したことを判定した場合に、前記動作モードから、前記視線検出処理の実行を待機する待機モードに移行し、前記眼電位に基づいて前記第１の電極及び前記第２の電極のいずれかが前記使用者から離間したことを判定した場合に、警告を発するユニット
を備える装置。
【請求項５】
請求項４に記載の装置を備えるアイウエア。